(57)【要約】【課題】フイルムの初期送りの際に、フイルムリーダの先端がアパーチャの横枠に引っ掛かるのを防止する。【解決手段】レンズ鏡胴１６の背面にフイルム支持部５５を形成する。フイルム支持部５５の形状を、レンズ鏡胴１６の背面の開口５４からアパーチャ３０の横枠３０ａに向かって緩やかに隆起させる。フイルムパトローネ３２装填時には、このフイルム支持部５５が、ガイドレール４１を越えない範囲でアパーチャ３０から突出するように、レンズ鏡胴１６を収納位置よりさらに光軸方向に後退させた装填補助位置に移動させ、フイルム初期送りの際に、フイルムリーダ３５ａの先端がアパーチャ３０の横枠３０ａに引っ掛かるのを防止する。【選択図】        図３
2005043462.tif 000002
【特許請求の範囲】
【請求項１】
カメラボディに沈胴される収納位置とカメラボディから突出する撮影位置との間で移動自在なレンズ鏡胴を備え、フイルム装填時にはフイルム初期送り機構を駆動し、アパーチャの背後でフイルムの露光面とベース面とをそれぞれ光軸方向で位置決めするフイルムガイドレールとフイルム規制板との間に形成されるフイルム通路を通してフイルムリーダ部をフイルム巻き取り室に送り込むようにした写真カメラおいて、
フイルム装填時に前記レンズ鏡筒を前記収納位置を越えて光軸方向に後退した装填補助位置に移動させ、レンズ鏡筒の背面に設けられたフイルム支持部を前記アパーチャを通して前記フイルムガイドレールを越えない範囲で背面側に突出させるようにしたことを特徴とする写真カメラ。
【請求項２】
前記フイルム支持部は、背面側への突出高さが前記フイルム巻き取り室側で漸増する斜面を有するとともに、前記アパーチャ内のフイルム巻き取り室側に突出することを特徴とする請求項１記載の写真カメラ。
【請求項３】
前記フイルム装填時に開閉される装填蓋の開放に応答してレンズ鏡筒を前記収納位置から前記装填補助位置に移動させる制御手段を備えたことを特徴とする請求項１または２記載の写真カメラ。
【請求項４】
前記制御手段は、前記装填蓋を閉止した後に所定の長さのフイルム送りが行われたことに応答し、前記レンズ鏡筒を前記装填補助位置から前記収納位置に向かって移動させることを特徴とする請求項３記載の写真カメラ。
【発明の詳細な説明】
【０００１】
【発明の属する技術分野】
本発明は、カメラボディに沈胴される収納位置とカメラボディから突出する撮影位置との間で移動自在なレンズ鏡胴と、写真フイルムの初期送り機構とを備えた写真カメラに関するものである。
【０００２】
【従来の技術】
簡単に写真フイルムを装填することができるカメラとして、ＤＩＬ（ドロップインローディング）方式の写真カメラ（以下、単にカメラという）がある。このＤＩＬ方式のカメラでは、写真フイルムが巻回された状態で内部に収納されているフイルムパトローネが用いられる。このフイルムパトローネを装填する時には、カメラの装填蓋を開放して、フイルムパトローネを装填させるパトローネ室（フイルム装填室）に連なる開口をカメラボディの底面に露呈させることにより、この開口を通してフイルムパトローネを軸方向に装填したり、取り出したりすることができる。また、１３５タイプのフイルムパトローネは、未使用状態で所定の長さ分だけフイルムリーダがパトローネ本体から延出しているため、カメラボディには前記開口に連なるようにスリットが形成されている。そのため、フイルムパトローネを装填する際には、フイルムリーダはスリットを通して挿入される。
【０００３】
フイルムパトローネを装填し、装填蓋を閉じるとフイルムリーダに設けられたパーフォレーションと、カメラ本体に設けられたフイルム搬送用のスプロケットとが噛合する。次いで、スプロケットが回転して写真フイルムの初期送り（フイルム巻き上げ）が開始され、フイルムリーダが自動的にフイルム巻き取り室に送り込まれる。このフイルム初期送りが完了すると、カメラは撮影準備状態となる。
【０００４】
一方、カメラの電源がＯＦＦの時には、撮影レンズが組み込まれたレンズ鏡胴をカメラ本体内に沈胴させた収納位置にしておき、電源をオンにすると、レンズ鏡胴を撮影光軸に沿って所定の撮影位置まで移動させた後に、撮影が可能となるカメラが広く普及している。このような、移動式のレンズ鏡胴は、上述のＤＩＬ方式のカメラにも設けられている。
【０００５】
しかしながら、このようなフイルム初期送り機構を備えたカメラでは、フイルム初期送り時にフイルムリーダがアパーチャ内に落ち込み、その先端がアパーチャの横枠に引っ掛かってフイルムの初期送りが失敗してしまうという問題が発生する。このフイルムリーダの引っ掛かりの問題は、上述のＤＩＬ方式のカメラに限らず、フイルムカートリッジのカートリッジスプールを回転させることによって、フイルムリーダをフイルム巻き取り室に送り出すＡＰＳカメラや、フイルムパトローネ装填時に、マニュアルで所定の位置にセットされたフイルムリーダを自動的にフイルム巻き取り室に送り込むカメラなどでも発生する。なお、この問題は、フイルム装填室とフイルム巻き取り室との間にフイルム初期送り用の機構を備えたカメラの中でも、特に、フイルムパトローネをそのままフイルム装填室に装填するだけで、自動的にフイルム初期送りが開始されるＤＩＬ方式のカメラで発生しやすい。
【０００６】
このような問題に対する対応策の一例として、例えば特許文献１では、アパーチャのサイズを通常のサイズより縦方向の長さを短くしたパノラマサイズに規制するパノラママスクを設け、フイルム初期送り時に、アパーチャサイズをパノラマサイズに切り替えることにより、フイルムリーダのアパーチャ内への落ち込みを防止している。
【０００７】
【特許文献１】
特開平５−２２４２９１号公報  （第４、第５頁）
【０００８】
【発明が解決しようとする課題】
ところで、上記の特許文献１に記載されている方法では、カメラに、アパーチャサイズを規制するパノラママスク等が設けられている必要がある。また、パノラマ撮影機能を有するカメラには、パノラママスクが予め設けられているが、ユーザがパノラマ撮影と通常の撮影とを自由に選択できるように、アパーチャサイズはマニュアルで切り替えられる機構になっている。そのため、アパーチャサイズを切り替えるアパーチャサイズ切替機構に、さらに、フイルム初期送り時にのみ、自動的にアパーチャサイズをパノラマサイズに切り替える機能を付加させると、アパーチャサイズ切替機構が複雑になってしまう。その結果、カメラの部品数や組立工程数が増えてしまうため、製造コストが高くなるおそれがある。
【０００９】
本発明は上記課題を解決するためのものであり、フイルム初期送り時に写真フイルムの先端が、アパーチャの横枠への引っ掛かるのを簡単に防止できるようにした写真カメラを提供することを目的とする。
【００１０】
【課題を解決するための手段】
上記目的を達成するために、本発明の写真カメラは、カメラボディに沈胴される収納位置とカメラボディから突出する撮影位置との間で移動自在なレンズ鏡胴を備え、フイルム装填時にはフイルム初期送り機構を駆動し、アパーチャの背後でフイルムの露光面とベース面とをそれぞれ光軸方向で位置決めするフイルムガイドレールとフイルム規制板との間に形成されるフイルム通路を通してフイルムリーダ部をフイルム巻き取り室に送り込むようにした写真カメラおいて、フイルム装填時に前記レンズ鏡筒を前記収納位置を越えて光軸方向に後退した装填補助位置に移動させ、レンズ鏡筒の背面に設けられたフイルム支持部を前記アパーチャを通して前記フイルムガイドレールを越えない範囲で背面側に突出させるようにしたことを特徴とする。
【００１１】
また、本発明は、前記フイルム支持部は、背面側への突出高さが前記フイルム巻き取り室側で漸増する斜面を有するとともに、前記アパーチャ内のフイルム巻き取り室側に突出することが好ましい。また、本発明は、前記フイルム装填時に開閉される装填蓋の開放に応答してレンズ鏡筒を前記収納位置から前記装填補助位置に移動させる制御手段を備えていることが好ましい。さらに、本発明は、前記制御手段は、前記装填蓋を閉止した後に所定の長さのフイルム送りが行われたことに応答し、前記レンズ鏡筒を前記装填補助位置から前記収納位置に向かって移動させることが好ましい。
【００１２】
【発明の実施の形態】
図１は、本発明を実施したカメラの前面の外観を示す斜視図である。このカメラ１０は、カメラ本体１１（図２参照）と、カメラ本体１１を覆う本体カバー１１２と、カメラ本体１１の背面を覆う裏蓋１３とから構成されている。カメラ１０の前面の中央には、撮影レンズ１５が設けられている。この撮影レンズ１５が組み込まれたレンズ鏡胴１６は、カメラ１０の未使用時にはカメラ１０の内部（図中実線）に収納され、撮影時にはモータ（図示は省略）の駆動によりカメラ１０から突出する（図中点線）。図中点線は、撮影レンズ１５が最大望遠位置にある時の状態を示したものである。また、このレンズ鏡胴１６は、未使用時の収納位置と、撮影時の撮影位置との間のみを移動できるのではなく、詳しくは後述するが、フイルム装填時及びフイルム初期送り時には、収納位置よりさらに光軸方向に後退させることができる（図３参照）。撮影レンズ１５の上方には、対物側ファインダ窓１７、ストロボ発光部１８、オートフォーカス用の投光窓１９及び受光窓２０、赤目防止用の発光窓２１、自動露出用の測光窓２２、セルフタイマ表示窓２３などが設けられている。
【００１３】
カメラ１０の上面には、シャッタレリーズ操作に用いられるレリーズボタン２５が設けられ、図中左側面には、スライドボタン２７が設けられている。このスライドボタン２７を下方にスライド操作することにより、裏蓋１３を開口させることができる（図２参照）。また、カメラ１０の背面には、接眼用ファインダ窓２８が設けられている。
【００１４】
図２は、カメラ１０の背面斜視図を示している。カメラ本体１１は、中央にアパーチャ３０を有し、このアパーチャ３０の左右に、フイルムパトローネ３２を装填するパトローネ室３３と、フイルム巻き取り室３４とを有している。パトローネ室３３には、その背面に形成された開口３３ａと、カメラ本体１１の底面側に形成された装填口３３ｂとを有しており、フイルムパトローネ３２が装填口３３ｂからパトローネ室３３に軸方向に装填されるようになっている。
【００１５】
フイルムパトローネ３２は、３５ミリフイルム（以下、単にフイルムという）３５がロール状に巻き付けられたスプール３２ａ、スプール３２ａを回動自在に内蔵したパトローネ本体３２ｂ、パトローネ本体３２ｂの上下端を包むように嵌められた上キャップ３２ｃ及び下キャップ３２ｄなどより構成される。また、フイルムパトローネ３２には、上述したように、所定の長さ分だけフイルムリーダ３５ａがパトローネ本体３２ｂから延出している。そのため、カメラ本体１１には、上述したように、フイルムパトローネ３２装填時にフイルムリーダ３５ａを通すためのスリット３８が形成されている。
【００１６】
また、カメラ本体１１には、パトローネ室３３に装填されたフイルムパトローネ３２からフイルム３５を引き出し、フイルム巻き取り室３４へ搬送するスプロケット４０が設けられ、さらに、アパーチャ３０の上下には、フイルム３５を搬送するためのガイドレール４１が設けられている。スプロケット４０には、フイルム３５のパーフォレーション３５ｂと噛合するスプロケット歯が複数個設けられ、各スプロケット歯は、パーフォレーション３５ｂにずれることなく噛合するように位相が調整されている。
【００１７】
スプロケット４０が、図示しないモータにより回転駆動されると、フイルム３５がフイルム巻き取り室３４へ搬送される。このフイルム３５の搬送距離は、パーフォレーション３５ｂの数をカウントするパーフォレーションカウンタ（以下、単にパーフォカウンタという）４２により測定される。パーフォカウンタ４２には、反射型ホトセンサ等が用いられ、ホトセンサの前を通過したパーフォレーション３５ｂの数をカウントする。これにより、写真撮影時の駒送り量を正確に制御することができる。また、パーフォカウンタ４２は、フイルム初期送り時にも用いられ、そのカウント数が所定の数に達したら、フイルムリーダ３５ａが所定の距離搬送されてフイルム巻き取り室３４のスプール４４（図３参照）により巻き取られ、同時にフイルム３５の第１駒目が所定の撮影位置に搬送されたことがわかる。
【００１８】
フイルム巻き取り室３４には、図３に示すように、搬送されたフイルム３５を巻き取るためのスプール４４と、このスプール４４に巻き取られたフイルム３５を収納するためのスプール収納室４５とが設けられている。図３は、カメラ１０を上方から見た断面図である。また、スプール４４には、フイルム３５を巻き取るために、パーフォレーション３５ｂと噛合する噛合爪４４ａが形成されている。
【００１９】
裏蓋１３は、フイルムパトローネ３２を装填、或いは取り出しをする際に開閉される装填蓋として利用され、本体カバー１２にヒンジ部等により開閉自在に取り付けられている。この裏蓋１３の開閉は、図示は省略するが、カメラ本体１１に設けられた裏蓋開閉スイッチにより検知される。また、裏蓋１３には、フイルム圧板４８と、裏蓋１３が閉じられたときに、フイルム圧板４８がフイルム３５を押さえるように付勢する圧板バネ４９とが設けられ、さらに、フイルム圧板４８には、フイルム３５をスプール４４に押し付けて、確実に巻き取らせるための押しバネ５０が設けられている。裏蓋１３が閉じられると、フイルム圧板４９とガイドレール４１とにより、スリット状のフイルム通路が形成される。
【００２０】
レンズ鏡胴１６は、鏡胴固定筒５３により移動自在に保持されている。また、このレンズ鏡胴１６の背面には、開口５４が設けられ、さらに、開口５４の図中左方には、フイルム支持部５５がレンズ鏡胴１６と一体に形成されている。このフイルム支持部５５は、開口５４からアパーチャ３０の横枠３０ａに向かって緩やかに隆起している。フイルムパトローネ３２装填時には、このフイルム支持部５５が、ガイドレール４１を越えない範囲でアパーチャ３０から突出するように、レンズ鏡胴１６を収納位置よりさらに光軸方向に後退させた装填補助位置に移動させる。なお、図３では、レンズ鏡胴１６は装填補助位置にある。
【００２１】
フイルム初期送り時には、フイルム支持部５５がアパーチャ３０より突出し、尚且つフイルム支持部５５の形状が開口５４からアパーチャ３０の横枠３０ａに向かって緩やかに隆起しているので、フイルムリーダ３５ａの先端が横枠３０ａに引っ掛かることはない。なお、撮影後のフイルム３５とフイルム支持部５５とが擦れないように、レンズ鏡胴１６が装填補助位置に移動するのは、フイルムパトローネ３２装填のために裏蓋１３が開かれてからフイルム初期送りが完了するまでの間である。また、図２に示すように、フイルムリーダ３５ａの上端は、ガイドレール４１により所定の姿勢に規制されているのに対して、下端は、姿勢を規制するものがないので横枠３０ａに引っ掛かりやすい。そのため、フイルム支持部５５を、フイルムリーダ３５ａの下端の位置とほぼ同じ高さに設けることが好ましい。
【００２２】
次に、図４（ａ）〜（ｄ）及び図５を用いて、上記実施形態の作用について説明する。図４（ａ）〜（ｄ）は、フイルムパトローネ３２装填時からフイルム初期送り完了時までのレンズ鏡胴１６の動作を説明したものであり、図５は、カメラ１０のフイルム初期送り処理のフローを示したものである。フイルムパトローネ３２装填時には、まず上述のスライドボタン２７が下方にスライド操作され、裏蓋１３が開かれる。裏蓋１３が開かれると、上述の裏蓋開閉スイッチがそれを感知して、カメラ１０の電源ＯＮ、ＯＦＦに拘わらずレンズ鏡胴１６を装填補助位置に移動させる（図４（ａ））。次いで、フイルムパトローネ３２をパトローネ室３３に装填し、裏蓋１３を閉じる（図４（ｂ））。その際、フイルム圧板４８によりフイルムリーダ３５ａが押圧されて、そのパーフォレーション３５ｂがスプロケット４０に噛合する。
【００２３】
裏蓋開閉スイッチにより裏蓋１３が閉じられたのが確認されると、スプロケット４０が回転し、フイルムリーダ３５ａをガイドレール４１に沿って巻き取り室３４へ搬送する。同時に、パーフォカウンタ４２により、ホトセンサの前を通過したパーフォレーション３５ｂの数がカウントされる。その際、フイルム支持部５５がガイドレール４１を越えない範囲でアパーチャ３０から突出しているので、フイルムリーダ３５ａの先端部がアパーチャ３０の横枠３０ａに引っ掛かることはない（図４（ｃ））。上述したように、パーフォカウンタ４２のカウント数が所定の数に達して、フイルム３５の第１駒目が所定の撮影位置に搬送されたら、スプロケット４０の回転を停止させ、それと同時に、レンズ鏡筒１６を収納位置へ移動させてフイルム初期送りが完了する。（図４（ｄ））。その際、フイルムパトローネ３２装填前にカメラ１０の電源がＯＦＦされていた場合には、フイルム初期送り完了後に再び電源がＯＦＦされる。
【００２４】
なお、本実施形態では、フイルム支持部５５をレンズ鏡胴１６と一体に形成したが、これに限らず、引っ掛かりを防止できるような部材を別途レンズ鏡胴１６の背面に設けてもよい。また、フイルム支持部５５は、開口５４からアパーチャ３０の横枠３０ａに向かって緩やかに隆起させた形状にしているが、これに限らず、引っ掛かりにくい形状であれば任意の形状に変えてもよい。
【００２５】
本実施形態では、ＤＩＬ方式のカメラについて説明したが、これに限らず、上述したＡＰＳカメラなどのフイルム装填室とフイルム巻き取り室との間にフイルム初期送り用の機構を備えた各種写真カメラに採用してもよい。
【００２６】
【発明の効果】
以上のように、本発明の写真カメラによれば、フイルム装填時にレンズ鏡筒を収納位置を越えて光軸方向に後退した装填補助位置に移動させ、レンズ鏡筒の背面に設けられたフイルム支持部をアパーチャを通してフイルムガイドレールを越えない範囲で背面側に突出させるようにしたので、アパーチャサイズを規制するパノラママスク等を設けることなく、フイルム初期送り時に、フイルムリーダの先端がアパーチャの横枠への引っ掛かるのを簡単に防止することができる。
【図面の簡単な説明】
【図１】本発明を実施したＤＩＬ方式の写真カメラの前面の外観を示す斜視図である。
【図２】同カメラの背面斜視である。
【図３】同カメラを上方から見た断面図である。
【図４】同カメラのレンズ鏡胴の動作を説明したものであり、（ａ）はフイルムパトローネ装填時、（ｂ）は裏蓋閉じ時、（ｃ）はフイルム初期送り時、（ｄ）はフイルム初期送り完了時である。
【図５】同カメラのフイルム初期送り処理を示すフロー図である。
【符号の説明】
１０  カメラ
１１  カメラ本体
１２  本体カバー
１３  裏蓋
１６  レンズ鏡胴
２７  スライドボタン
３０  アパーチャ
３０ａ  横枠
３２  フイルムパトローネ
３３  パトローネ室
３５  フイルム
３５ａ  フイルムリーダ
４０  スプロケット
４１  ガイドレール
４２  パーフォレーションカウンタ
５５  フイルム支持部
【図１】
2005043462.tif 000003
【図２】
2005043462.tif 000004
【図３】
2005043462.tif 000005
【図４】
2005043462.tif 000006
【図５】
2005043462.tif 000007